(57)【要約】【課題】墓石の花立てに飾る花の長寿命化を図り、花立てに給水する水を浄化して異臭を防止する。【解決手段】貯水槽としての樋２を墓地１に設け、花立て２０の容積に比して２〜３倍の容積を有する箱状の給水槽１０を樋２より下流側に設け、樋２と給水槽１０とを取水管１５によって連結すると共に、給水槽１０の底部と花立て２０の底部とを連結管２６，２７，２８によって連結し、花立て２０の基準水位Ｂを設定すべく、給水槽１０の内部に貫入された取水管１５の吐出口１５ａの位置を設定し、給水槽１０の底部に溜まった汚物を花立て２０に流入するのを防止すべく、花立て２０の底部に対する給水槽１０の底部の位置と、給水槽１０に連結された連結管２６の流入口２６ａの位置とを設定し、給水槽１０の上限水位Ａを設定すべく、花立て２０の上面開口部の位置を設定する。【選択図】　　図１
2004060315.tif 000002
【特許請求の範囲】
【請求項１】
貯留した雨水を墓石に付設された花立てに給水する墓石の花立て給水装置において、雨水を貯留するための貯水槽が墓地に設けられると共に、花立ての容積に比して２〜３倍の容積を有する箱状の給水槽が貯水槽より下流側に設けられ、しかも、貯水槽と給水槽とが取水管によって連結されると共に、給水槽の底部と花立ての底部とが連結管によって連結され、さらに、給水槽に連結された取水管の吐出口が給水槽の内部に貫入されると共に、貫入された取水管の吐出口の位置によって、給水槽及び花立ての基準水位が設定され、加えて、花立ての上面開口部の位置によって、給水槽の上限水位が設定されてなることを特徴とする墓石の花立て給水装置。
【請求項２】
前記給水槽の底部に溜まった汚物を花立てに流入するのを防止すべく、花立ての底面の位置よりも給水槽の底面の位置が低位置に設定されると共に、給水槽に連結された連結管の流入口の位置が給水槽の底面の位置よりも高位置に設定されてなることを特徴とする請求項１に記載の墓石の花立て給水装置。
【請求項３】
前記花立てには、その外側に有底筒形状の排水槽が設けられ、排水槽と、墓地に形成された側溝とが排水管によって連結されてなることを特徴とする請求項１又は２に記載の墓石の花立て給水装置。
【請求項４】
前記貯水槽は、日射、雨水、降雪などから墓石を保護するための墓石用上屋の屋根板の端縁部に形成された反曲部、又は、該屋根板に取り付けられた樋によって構成されてなることを特徴とする請求項１乃至３のいずれか１項に記載の墓石の花立て給水装置。
【請求項５】
前記取水管の流入口は、屋根板の反曲部、又は、樋に連結されると共に、濾過網によって覆われてなることを特徴とする請求項１乃至４のいずれか１項に記載の墓石の花立て給水装置。
【請求項６】
前記給水槽の天板には、点検口が形成され、該点検口は、開閉可能な蓋体によって閉塞されてなることを特徴とする請求項１乃至５のいずれか１項に記載の墓石の花立て給水装置。
【請求項７】
前記連結管は、給水槽の底部を貫通して連結された上下方向の給水槽用連結管と、花立ての底部に連結された上下方向の花立て用連結管と、給水槽用連結管と花立て用連結管とを連結する水平方向の通水用連結管とから構成され、しかも、通水用連結管の内径が、給水槽用連結管及び花立て用連結管の内径に比して大きく、さらに、通水用連結管の両端部には、開口部が形成されると共に、キャップによって通水用連結管の両端開口部が開閉可能に閉塞されてなることを特徴とする請求項１乃至６のいずれか１項に記載の墓石の花立て給水装置。
【請求項８】
通水用連結管、給水槽用連結管、花立て用連結管のうち少なくとも何れか一つの内周面には、銅又は錫の薄膜が蒸着されてなることを特徴とする請求項１乃至７のいずれか１項に記載の墓石の花立て給水装置。
【請求項９】
花立て又は排水槽の少なくとも何れか一方が着脱可能に構成されてなることを特徴とする請求項１乃至８のいずれか１項に記載の墓石の花立て給水装置。
【請求項１０】
連結管の水を花立てに給水するポンプと、排水槽又は排水管に接続された循環用配水管と、排水管に設けられた排水用開閉弁と、循環用配水管に設けられた循環用開閉弁とが装備され、ポンプの作動によって、連結管の水を花立てに給水して花立ての水を排水槽に流出させ、排水管の排水用開閉弁を閉じて排水槽から外部への排水を中止させると共に、循環用配水管の循環用開閉弁を開いて花立てから流出した排水槽の水を連結管に循環させることを特徴とする請求項１乃至９のいずれか１項に記載の墓石の花立て給水装置。
【請求項１１】
循環用配水管には、花立てから流出した排水槽の水を浄化するためのフィルターが着脱可能に接続されてなることを特徴とする請求項１乃至１０のいずれか１項に記載の墓石の花立て給水装置。
【発明の詳細な説明】
【０００１】
【発明の属する技術分野】
本発明は、主に雨水を利用して墓石の花立てに給水できるようにした墓石の花立て給水装置に関する。
【０００２】
【従来の技術及び発明が解決しようとする課題】
従来の墓石の花立ては、一旦給水した後は、そのまま放置されて、花立てに給水された水が、花の吸収や乾燥による蒸発によって少なくなり、花立てに飾られた花が短期間のうちに枯れてしまい、花の寿命が短いのが現状である。また、花立てに残った少量の水が腐ってしまう場合もあり、花立てから異臭が発生して、墓参の際に不快な思いをすることもある。
【０００３】
そこで、本発明は上記問題点に鑑み、墓石の花立てに給水された水量を、花の寿命を維持する程度に保持し、花立てに飾る花の長寿命化を図り、花立てに給水する水を浄化して異臭を防止できる墓石の花立て給水装置を提供することを目的とする。
【０００４】
【課題を解決するための手段】
上記課題を解決するために、本発明の墓石の花立て給水装置は、請求項１に示す如く、貯留した雨水を墓石に付設された花立てに給水する墓石の花立て給水装置において、雨水を貯留するための貯水槽が墓地に設けられると共に、花立ての容積に比して２〜３倍の容積を有する箱状の給水槽が貯水槽より下流側に設けられ、しかも、貯水槽と給水槽とが取水管によって連結されると共に、給水槽の底部と花立ての底部とが連結管によって連結され、さらに、給水槽に連結された取水管の吐出口が給水槽の内部に貫入されると共に、貫入された取水管の吐出口の位置によって、給水槽及び花立ての基準水位が設定され、加えて、花立ての上面開口部の位置によって、給水槽の上限水位が設定されてなるものである。
【０００５】
したがって、貯水槽の水を一旦給水槽に貯留し、給水槽の内部に貫入された取水管の吐出口の位置によって、花立ての基準水位を設定できると共に、花立ての深さを設定できるようになる。例えば、花立ての基準水位よりも花立ての深さを大きく設定すれば、花立てに花を差しても花立てから水が溢れ出ることがない。
なお、給水槽の基準水位と花立ての深さとを同一になるように設定し、花立てに花を差した場合に、花立てから水が溢れ出たとしても、溢れ出る水が少量であるため、何ら支障はない。
【０００６】
但し、給水槽の天板よりも花立ての上面開口部の位置が高く設定された場合、給水槽から貯留水が溢れ出ることになるため、花立ての上面開口部の位置を、給水槽の天板よりも低く、給水槽の基準水位よりも高い位置に設定する必要がある。即ち、花立ての上面開口部の位置が給水槽の上限水位となる。
【０００７】
よって、給水槽の基準水位よりも花立ての上面開口部の位置、即ち花立ての深さを大きく設定すれば、給水槽の貯留水が給水槽の上限水位を超えて給水槽から溢れ出ることがなく、給水槽から花立てに円滑な給水が可能になる。
【０００８】
さらに、給水槽の容積は、花立ての容積に対して２〜３倍を有しているため、全体の貯水量としては、給水槽のない通常の花立てに比して３〜４倍の貯水量が確保されることになる。
【０００９】
そして、例えば、花立ての水が蒸発して減少した場合、蒸発した水量だけ、花立ての水位が下がることになるが、減少した水量が給水槽から花立てに給水され、花立ての水面の位置と、給水槽の水面の位置とが同一になるまで給水される。
即ち、給水槽の水面の位置と、花立ての水面の位置とは、常に均衡を保つように構成されており、給水槽の水面に加圧される給水槽内の空気圧と、花立ての水面に加圧される大気圧とのバランスが崩れることによって、花立てへの給水が行われるようになる。
【００１０】
一方、花立ての水量が容積よりも大幅に超えた場合、花立ての上面開口部の位置と、給水槽の上限水位の位置とが同一であるため、花立ての上面開口部から花立ての容積を超えた水量が溢れ出ることで、花立ての上面開口部の位置に達する水面と、給水槽の上限水位の位置に達する水面とが同じ位置になり、給水槽の上限水位の位置で水位を維持できる。
【００１１】
さらに、貯水槽から給水槽への給水が増大した場合、花立てへの給水も増大することになり、前記と同様に、給水槽の水面の位置と、花立ての水面の位置とが均衡を保とうとするため、給水槽の上限水位を超える水量は、花立ての上面開口部から溢れ出ることになり、結果として、給水槽の上限水位の位置で水位を維持できる。
【００１２】
このように、本発明の墓石の花立て給水装置によれば、弁を用いることなく簡単な構成で、円滑な自然給水が可能になる。
【００１３】
また、請求項２に示す如く、前記給水槽の底部に溜まった汚物を花立てに流入するのを防止すべく、花立ての底面の位置よりも給水槽の底面の位置を低位置に設定すると共に、給水槽に連結された連結管の流入口の位置を給水槽の底面の位置よりも高位置に設定するのが好ましい。
【００１４】
そうすれば、給水槽の底面に溜まった汚物が連結管の流入口の高さにまで達するには、かなりの量の汚物が堆積されない限り流入することはなく、給水槽の底面に溜まった汚物が連結管の流入口から流入することが抑制される。よって、汚物が連結管を介して花立てに流入することがない。また、連結管の流入口を濾過網で覆うようにすれば、より一層汚物の流入が阻止される。
【００１５】
さらに、請求項３に示す如く、花立ての外側に有底筒形状の排水槽を設け、排水槽と、墓地に形成された側溝とを排水管によって連結するのがよい。
【００１６】
この場合、花立てから溢れ出た水を、一旦排水槽で受け、さらに排水槽から排水管を通って、墓地の側溝に排水するようになるため、墓石や墓地を水浸しにすることがない。
【００１７】
さらに、請求項４に示す如く、日射、雨水、降雪などから墓石を保護するための墓石用上屋の屋根板の端縁部に形成された反曲部、又は、該屋根板に取り付けられた樋によって貯水槽を構成するのが好ましい。
【００１８】
よって、墓石用上屋を墓地に構築することで、墓石を日射から保護することができ、日射による温度上昇によって花立てから水が蒸発するのを抑制できる。さらに、屋根板の傾斜部に沿って流れる雨水が、屋根板の反曲部の円弧面に貯留されることになり、屋根板の反曲部が貯水槽と成り得る。同様に、屋根板から流下する雨水を樋で受けるようにしても、貯留水を花立ての水に利用でき、自然給水が可能になる。
【００１９】
加えて、請求項５に示す如く、屋根板の反曲部、又は、樋に取水管の流入口を連結すると共に、取水管の流入口を濾過網によって覆うのが望ましい。
【００２０】
そうすれば、屋根板の反曲部、又は、樋に汚物が溜まっても、取水管の流入口から汚物が下流側、即ち給水槽、花立てに流入することが防止される。
【００２１】
なお、ここでいう濾過網とは、金網、複数の穴が穿設されたドーム形状の箱体を含むものとする。
【００２２】
また、請求項６に示す如く、給水槽の天板に形成された点検口を、開閉可能な蓋体によって閉塞するようにしてもよい。
【００２３】
例えば、花立てへの給水が、給水槽の内部の汚れ、又は、取水管の吐出口の詰まりによって困難になった場合には、給水槽の内部、又は、取水管の吐出口の内周面を洗浄することで迅速に対処できる。
【００２４】
さらに、請求項７に示す如く、給水槽の底部を貫通して連結された上下方向の給水槽用連結管と、花立ての底部に連結された上下方向の花立て用連結管と、給水槽用連結管と花立て用連結管とを連結する水平方向の通水用連結管とから連結管を構成し、給水槽用連結管及び花立て用連結管の内径に比して通水用連結管の内径を大きくし、さらに、通水用連結管の両端部に開口部を形成すると共に、キャップによって通水用連結管の両端開口部を開閉可能に閉塞するのがよい。
【００２５】
この場合、給水槽用連結管と花立て用連結管とを水平方向の通水用連結管によって連結し、通水用連結管の内径を、給水槽用連結管及び花立て用連結管の内径に比して大きくすることで、塵埃などの微小な汚物の給水槽から花立てへの流入がより一層阻止できるようになる。即ち、給水槽から小径の給水槽用連結管に汚物が流入したとしても、通水用連結管が水平方向で、且つ、大径であるため、通水用連結管を流通する汚物は自重によって通水用連結管の底部に溜まることになり、下流側の花立て用連結管に流入しづらくなる。
【００２６】
また、通水用連結管の両端開口部からキャップを取り外せば、通水用連結管の内部を容易に洗浄でき、清潔である。さらに、通水用連結管の内部に溜まった汚物を排除できるため、通水用連結管の内周面が錆によって腐食されることがなく、通水用連結管の内周面を保護できる。加えて、水や汚物の腐敗による異臭防止、故人や墓参する人に対する思いやりのある配慮が実現される。
【００２７】
加えて、請求項８に示す如く、銅又は錫の薄膜を、通水用連結管、給水槽用連結管、花立て用連結管のうち少なくとも何れか一つの内周面に蒸着するのが望ましい。
【００２８】
よって、通水用連結管を流通する水は、通水用連結管、給水槽用連結管、花立て用連結管のうち少なくとも何れか一つの内周面に蒸着された銅又は錫の薄膜によって洗浄されることになり、通水用連結管の内周面の保護、及び、水の腐敗を防止できる。さらに、水や汚物の腐敗による異臭を防止でき、墓参する人に対して不快な思いをさせることがない。
【００２９】
また、請求項９に示す如く、花立て又は排水槽の少なくとも何れか一方を着脱可能に構成してもよい。
【００３０】
したがって、花立て又は排水槽の少なくとも何れか一方を着脱可能に構成することで、花立て又は排水槽の少なくとも何れか一方を洗浄できるようになる。例えば、花立てを洗浄した場合、清潔な花立てに花が供えられる。排水槽を洗浄した場合、排水による排水槽の汚れが抑制される。墓石の周囲の水廻りが浄化されることになり、清潔な環境を維持できる。
【００３１】
さらに、請求項１０に示す如く、連結管の水を花立てに給水するポンプと、排水槽又は排水管に接続された循環用配水管と、排水管に設けられた排水用開閉弁と、循環用配水管に設けられた循環用開閉弁とを装備し、ポンプの作動によって、連結管の水を花立てに給水して花立ての水を排水槽に流出させ、排水管の排水用開閉弁を閉じて排水槽から外部への排水を中止させると共に、循環用配水管の循環用開閉弁を開いて花立てから流出した排水槽の水を連結管に循環させることが好ましい。
【００３２】
例えば、夏季において、花立てに溜まった水の温度が上昇すれば、花の寿命が短くなると共に、異臭が発生する場合がある。このような場合、気温の上昇が著しい昼間において、タイマーによってポンプを所定時間作動させ、ポンプの吸い上げ、あるいは、加圧によって、連結管の水を花立てに給水して花立ての水を排水槽に流出させ、排水槽の水を連結管に循環させれば、花立ての水の温度上昇を防止できると共に、花立てからの異臭の発生も防止できる。
【００３３】
加えて、請求項１１に示す如く、花立てから流出した排水槽の水を浄化するためのフィルターを循環用配水管に着脱可能に接続するのが望ましい。
【００３４】
したがって、花立てから排水層に流出した汚水をフィルターによって浄化でき、きれいな水を花立てに循環させることができる。
【００３５】
【発明の実施の形態】
本発明の一実施形態について説明する。
本発明の墓石の花立て給水装置においては、墓地に設置された墓石用上屋の軒先に、貯水槽としての樋を水平方向に取り付けると共に、樋の下流側、即ち墓石用上屋の支柱に、花立ての容積に比して２〜３倍の容積を有する直方体形状の給水槽を設け、給水槽が設けられた墓石用上屋の支柱に沿って取水管を取り付け、この取水管によって樋の底部と給水槽の天板とを連結すると共に、取水管の吐出口を給水槽の内部に貫入し、さらに、給水槽の底部と墓石に付設された花立ての底部とを連結管によって連結している。
【００３６】
そして、給水槽及び花立ての基準水位が、給水槽の内部に貫入された取水管の吐出口の位置によって設定されると共に、給水槽の上限水位が、花立ての上面開口部の位置によって設定されている。
【００３７】
【実施例１】
つぎに実施例１について図１及び図２を参照して説明する。
本発明の墓石の花立て給水装置は、墓地１に立設された複数本の支柱（図示せず）によって支持された貯水槽としての樋２と、樋２に貫設された濾過網としてのストレーナ３と、樋２の下流側に設けられた箱状の給水槽１０と、ストレーナ３と給水槽１０とを連結する取水管１５と、墓石の墓石台７の左側又は右側の少なくともいずれか一側に付設された有底筒形状の花立て２０と、給水槽１０と花立て２０とを連結する連結管２５と、花立て２０の外側に設けられた有底筒形状の排水槽３５と、該排水槽３５に貫設された排水管４０とから構成されている。
【００３８】
ストレーナ３は、複数の通水穴４，…が穿設されたドーム形状のストレーナ本体５と、ストレーナ本体５の底部に一体に設けられた雌ねじ６とを有している。
ストレーナ３の雌ねじ６が樋２の底部に貫設され、取水管１５の上端部に形成された雄ねじ１６に螺合し、ストレーナ３と取水管１５とが連結されている。このストレーナ３によって、樋２に溜まった落ち葉やごみなどの汚物が取水管１５に流入するのを阻止している。
【００３９】
給水槽１０は、花立て２０の容積に比して２倍の容積を有しており、直方体形状に形成されている。さらに、給水槽１０の天板１１には、後述する取水管１５の吐出口１５ｂとの接続部位の側方に点検口１２が形成され、該点検口１２を開閉可能に閉塞する蓋板１３が取り付けられている。なお、給水槽１０は、貯水量を識別しやすいように、透明色の合成樹脂材料を使用してもよい。
【００４０】
取水管１５は、その上端開口部、即ち流入口１５ａがストレーナ３のストレーナ本体５に連通している。さらに、取水管１５の下端開口部、即ち吐出口１５ｂが給水槽１０の内部に貫入され、取水管１５の下端部がナットやパッキン（図示せず）によって挟持され、給水槽１０の天板１１に水密に固定されている。取水管１５の吐出口１５ｂの位置によって、給水槽１０及び花立て２０の基準水位Ｂが設定されている。
【００４１】
花立て２０は、給水槽１０の容積に比して略半分の容積を有しており、花立て２０の上面開口部の位置が、取水管１５の吐出口１５ｂの位置よりも高位置で、且つ、給水槽１０の天板１１よりも低位置になるように設定されている。さらに、花立て２０の底部には貫通穴２１が穿設され、該貫通穴２１にパッキン２２が装着されている。
【００４２】
連結管２５は、給水槽１０の底部を貫通して連結された上下方向の給水槽用連結管２６と、花立て２０の底部に連結された上下方向の花立て用連結管２７と、給水槽用連結管２６と花立て用連結管２７とを連結する水平方向の通水用連結管２８とから構成されている。
【００４３】
給水槽用連結管２６は、その上端部が、取水管１５と同様に、ナットやパッキンによって挟持されて給水槽１０の底部に水密に固定されると共に、給水槽用連結管２６の下端部が墓地１の左側（図１を正面から見て）に埋設されている。さらに、給水槽用連結管２６の上端開口部、即ち流入口２６ａの位置が、給水槽１０の底面よりも高位置になるように設定されていると共に、花立て２０の底部の位置と同じ位置になるようにも設定されている。よって、給水槽１０の底部に溜まった泥やごみなどの汚物は通水用連結管２８に流入するのが抑制されている。
【００４４】
花立て用連結管２７は、その上端開口部、即ち流入口２７ａが、花立て２０の底部のパッキン２２に挿脱可能に貫入されると共に、花立て用連結管２７の下端部が墓地７の右側（図１を正面から見て）に埋設されている。そして、花立て２０は、花立て用連結管２７に対し着脱可能な構成になっている。
【００４５】
通水用連結管２８は、墓地１に埋設されており、通水用連結管２８の両端部には、給水槽用連結管２６及び花立て用連結管２７の吐出口２６ｂ，２７ｂがゴム継ぎ手３１，３１により着脱可能に連結されている。さらに、給水槽用連結管２６及び花立て用連結管２７の内径に比して通水用連結管２８の内径が大きく形成されている。この理由としては、通水用連結管２８に流入する汚物を除去しやすくすると共に、通水用連結管２８に流入する汚物を花立て用連結管２７に流入するのを阻止するためである。また、通水用連結管２８の内径を大きくすることにより水が多く溜まり、花立て２０の内部の暖まった水を冷却するのにも有効になる。水が冷たければ花の長寿命化を図れる。
【００４６】
例えば、給水槽１０の底部に溜まった汚物が、給水槽用連結管２６を介して通水用連結管２８に流入したとすると、通水用連結管２８の内径が給水槽用連結管２６に比して大きいことから汚物の流速が遅くなり、しかも、汚物は自重によって、通水用連結管２８の底部に沈下して溜まることになる。さらに、通水用連結管２８に流入した汚物が水圧によって花立て用連結管２７へ押し流され、通水用連結管２８から花立て用連結管２７へ流入したとしても、花立て用連結管２７は上下方向であるため、落差が生じて汚物が沈下しやすくなる。
【００４７】
また、通水用連結管２８の内径を給水槽用連結管２６に比して大きくし、汚物の流速が遅くなることを考慮すれば、水圧によって汚物が花立て２０まで押し上げられることは通常考えにくく、大抵の場合、汚物の自重によって通水用連結管２８に沈下して溜まると考えられ、花立て２０への流入を充分に阻止できる。
【００４８】
通水用連結管２８の内周面には、銅又は錫の薄膜（図示せず）が蒸着されており、通水用連結管２８を流通する水が銅又は錫の薄膜によって洗浄されることになり、通水用連結管２８の内周面の保護、及び、水の腐敗を防止している。さらに、水や汚物の腐敗による異臭を防止でき、墓参する人に対して不快な思いをさせることがない。なお、前記薄膜は、給水槽用連結管２６、花立て用連結管２７通水用連結管２８のうち少なくとも何れか一つの内周面に蒸着するのが望ましい。また、銅又は錫の薄膜の代わりに、通水用連結管２８の内部に銅片又は錫片を散在させても、同様の効果を奏する。
【００４９】
また、通水用連結管２８の両端部には、開口部２９，２９が形成され、さらに、通水用連結管２８の両端開口部２９，２９は、通水用連結管２８の両端部にそれぞれ螺合するキャップ３０，３０によって開閉可能に閉塞されている。通水用連結管２８の内部を洗浄する場合、墓地１から通水用連結管２８を取り出し、キャップ３０，３０を通水用連結管２８の両端開口部２９，２９から取外し、通水用連結管２８の内部に水道水や洗浄水を注いでもよいし、給水槽用連結管２６及び花立て用連結管２７の吐出口２６ｂ、２７ｂがゴム継ぎ手３１，３１により連結されているので、取り外して洗浄してもよい。そうすれば、通水用連結管２８の内周面が錆によって腐食されることがなく、通水用連結管２８の内周面を保護できる。加えて、溜まった水や汚物の腐敗による異臭防止にも寄与できる。
【００５０】
排水槽３５は、花立て２０の容積よりも大きく、排水槽３５の上面開口部の位置が花立て２０の上面開口部の位置よりも低位置になるように設定されており、花立て２０から流出した水が、花立て２０の側壁と排水槽３５の側壁との間に形成される隙間に流下し、排水管４０を通って墓地１に形成された側溝（図示せず）へ排水される。さらに、排水槽３５の底部の中央に挿通穴３６が形成されると共に、該挿通穴３６の周縁部に凹部３７が形成されている。この凹部３７には、花立て２０のパッキン２２が載置され、花立て２０の底部と排水槽３５の底部とが接離可能に当接する。加えて、排水槽３５の底部の側方には、貫通穴３８が穿設され、該貫通穴３８の周面に環状溝３８ａが形成され、該環状溝３８ａにＯリング３９が装着されている。そして、排水槽３５は、排水管４０に対し着脱可能な構成になっている。
【００５１】
排水管４０は、Ｌ字形状を呈しており、墓石の墓石台７に内挿された上下方向の垂直部４１と、地中に埋設された水平方向の折曲部４２とを備えている。さらに、垂直部４１の上端開口部、即ち流入口４０ａが、排水槽３５の底部のＯリング３９を介して水密に貫設されると共に、折曲部４２の下端開口部、即ち吐出口４０ｂが墓地７の側溝に連結されている。そして、排水管４０は、花立て２０から流下する水を外部へ排水する。
【００５２】
つぎに墓石の花立て給水装置の使用態様について説明する。樋２に溜まった水が、ストレーナ３、取水管１５を介して給水槽１０に導水され、給水槽用連結管２６、通水用連結管２８、花立て用連結管２７を経て、花立て２０に給水されることになる。
【００５３】
例えば、給水槽１０の水面と、花立て２０の水面とが同一の場合、給水槽１０の水面に加圧される給水槽１０の内部の空気圧と、花立て２０の水面に加圧される大気圧とのバランスが保持されているため、給水槽１０から花立て２０への給水は行われない。
【００５４】
また、花立て２０の花の吸水、あるいは、自然乾燥による蒸発によって花立て２０の水量が減少し、給水槽１０の水面よりも、花立て２０の水面が低くなった場合、給水槽１０の水面に加圧される給水槽１０の内部の空気圧と、花立て２０の水面に加圧される大気圧とのバランスが崩れて、給水槽１０の水面と、花立て２０の水面とが再度同一になるまで、給水槽１０から花立てに給水が行われる。ここで、花立て２０の水量を「１」とし、給水槽１０の水量を「２」とすれば、給水槽１０の水量と花立て２０の水量とを合わせた３倍の水量を花に補給できることになり、花の長寿命化が図れるようになる。
【００５５】
さらに、豪雨などによって、給水槽１０の水量が急激に増大し、給水槽１０の水面が、給水槽１０の上限水位Ａを超えた場合、給水槽１０の上限水位Ａを越える水量が花立て２０の上面開口部から排水槽３５に流出し、排水管４０を通って墓地１の側溝へ排水される。よって、給水槽１０から水は溢れ出ることはない。
【００５６】
また、貯水槽としての樋２に溜まった汚物の流入は、ストレーナ３によって阻止される一方、給水槽１０の底面に溜まった汚物は、給水槽用連結管２６の流入口２６ａを給水槽１０の底面よりも上方に位置させることで、その流入が阻止されることになる。さらに、小径の給水槽用連結管２６を介して大径の通水用連結管２８に流入する汚物は、汚物の自重によって、通水用連結管２８の底部に沈下することになり、花立て２０への流入が阻止される。よって、汚物の流入が３重の濾過構造によって阻止されることになる。
【００５７】
このように、花立て２０の水量が変化して、給水槽１０の水面に加圧される給水槽１０の内部の空気圧と、花立て２０の水面に加圧される大気圧とのバランスが崩れた時、給水槽１０の水面に加圧される給水槽１０の内部の空気圧と、花立て２０の水面に加圧される大気圧とのバランスを保つべく、給水槽１０から花立て２０に円滑な自然給水が行われるようになる。よって、花立て２０の花の寿命を維持するのに充分な水量が給水槽１０から花立て２０に給水される一方、汚物の花立て２０への流入に対しても、簡単な構造で対処できる。
【００５８】
【実施例２】
つぎに実施例２について図３を参照して説明する。図３において、図１及び図２と同一符号は同一もしくは相当するものを示し、異なる点は、雨や雪などから墓石を保護するための墓石用上屋４５の屋根板４６を利用した点であり、屋根板４６の端縁部には、貯水槽としての反曲部４７が形成され、しかも、該反曲部４７には、濾過網としてのストレーナ３が貫設され、さらに、墓石用上屋４５の支柱４８に給水槽１０が取り付けられている。なお、本実施例２の墓石の花立て給水装置の使用態様については、前記実施例１と略同様であるため、その説明を省略する。
【００５９】
【実施例３】
つぎに実施例３について説明する。実施例１，２と異なる点は、墓石の花立て給水装置に、花立ての水を循環させる循環装置を付加した点である。以下、循環装置につき図４を参照して詳細に説明する。図４において、図１乃至図３と同一符号は同一もしくは相当するものを示す。
【００６０】
循環装置は、花立ての水温を検知する温度センサー（図示せず）と、花立て用連結管２７に接続されたポンプ５０と、ポンプ５０を所定時間毎に繰り返し作動させるタイマー（図示せず）と、排水管４０の垂直部４１の下端部が循環流入ポート５１ａに接続されたＴ字継ぎ手５１と、Ｔ字継ぎ手５１の排水ポート５１ｃ、及び、排水管４０の折曲部４２の間に設けられた排水用開閉弁５２と、Ｔ字継ぎ手５１の循環流出ポート５１ｂに接続されたＬ字継ぎ手５３と、Ｌ字継ぎ手５３、及び、Ｕ字形状の循環用配水管５５の間に設けられた循環用開閉弁５４と、通水用連結管２８、及び、循環用配水管５５の間に設けられた透明のアクリルパイプ５６と、該アクリルパイプ５６に内装されたカートリッジフィルター５７とから構成されている。なお、温度センサーで花立て２０の温度検知を行うことなく、タイマーのみによるポンプ５０の制御運転を場合は、朝、夕の２回ポンプ５０を１分間ずつ行うようにしてもよい。
【００６１】
つぎに循環装置の動作について説明する。通常の場合、即ち花立て２０の水温が常温の場合、ポンプ５０は停止状態であり、排水用開閉弁５２がオンしていると共に、循環用開閉弁５４がオフし、通水用連結管２８、花立て用連結管２７、花立て２０、排水槽３５、排水管４０の垂直部４１、排水管４０の折曲部４２により排水流路が形成される。即ち、花立て２０から流出した水は排水槽３５、排水管４０を通って外部に排水される。
【００６２】
夏季などにおいて乾燥した日が続いた場合、例えば、花立て２０の水温が上昇して所定温度（２４度）以上になった場合、温度センサーから検知信号が出力され、該検知信号によってタイマーが作動し、ポンプ５０が、例えば、１分間作動する。但し、花立て２０の水温が２４度より低くならない場合は、ポンプ５０の作動が継続して行われる。一方、ポンプ５０の作動と同時に、排水用開閉弁５２がオフになり、排水槽３５から外部への排水が中止になると共に、循環用開閉弁５４がオンになり、通水用連結管２８、花立て用連結管２７、花立て２０、排水槽３５、排水管４０の垂直部４１、循環用配水管５５、通水用連結管２８、花立て用連結管２７、花立て２０により循環流路が形成される。
【００６３】
即ち、ポンプ５０によって通水用連結管２８の水が吸い上げられ、花立て用連結管２７を通って花立て２０に給水され、花立て２０の水が排水槽３５に流出し、排水管４０の垂直部４１、循環用配水管５５を経て通水用連結管２８に戻される。ポンプ５０が作動している間、花立て２０の水が循環されることになり、花立て２０の水が新しい水と入れ替わり、花立て２０の水が通水用連結管２８に循環されることで、花立て２０の水温が緩和され，花立て２０の水の温度上昇を防止できると共に、花立て２０からの異臭の発生を防止できる。
【００６４】
さらに、花立て２０から通水用連結管２８に戻される水は、アクリルパイプ５６のカートリッジフィルター５７を通るため、カートリッジフィルター５７によって浄化され、きれいな水が花立て２０に給水されることになる。
【００６５】
花立て２０の水温が２４度より低くなると、タイマーによるポンプ５０の制御運転が終了し、排水用開閉弁５２がオンに、循環用開閉弁５５がオフに切り替わり、上述した通常の排水流路が形成される。
【００６６】
なお、前記各実施例の場合、給水槽１０の容積を、花立て２０の容積に比して２倍としたが、３倍であってもよい。この場合、４回分の給水が花立てに行われることになる。
【００６７】
また、前記各実施例の場合、貯水槽として、墓地１に立設された複数本の支柱に支持された樋２、又は、墓石用上屋４５の屋根板４６に形成された反曲部４７としたが、墓石用上屋４５の軒先に樋２を取り付けて、樋２の底部にストレーナ３を貫設するようにしてもよい。
【００６８】
さらに、前記各実施例の場合、通水用連結管２８に銅又は錫の薄膜を蒸着するようにしたが、円滑な給水を確保できる程度に、竹材、杉材などの間伐材による炭材を散在させるようにしてもよい。
【００６９】
【発明の効果】
以上説明したように、本発明の墓石の花立て給水装置は、貯水槽に貯留される雨水を、花立ての容積に比して２〜３倍の容積を有する箱状の給水槽で貯水するようにしたため、充分な給水量を確保できる。
【００７０】
また、貯水槽と給水槽とを取水管によって連結し、取水管の吐出口を給水槽の内部に貫入し、貫入された取水管の吐出口の位置によって、給水槽及び花立ての基準水位を設定し、さらに、花立ての上面開口部の位置によって、給水槽の上限水位を設定するようにしたため、給水槽の貯留水が上限水位を超えて給水槽から溢れ出るのを有効に防止でき、花立てへの給水が支障なく行える。
【００７１】
また、花立ての底面に対する給水槽の底面の位置と、給水槽に連結された連結管の流入口の位置とを、給水槽の底部に溜まった汚物を花立てに流入するのを防止できるように設定すれば、汚物の花立てへの流入を阻止でき、花立ての内部を清潔にするのに効果的である。
【００７２】
さらに、花立ての外側に有底筒形状の排水槽を設け、排水槽と、墓地に形成された側溝とを排水管によって連結することで、花立ての排水路を容易に形成でき、墓石や墓地に水が溜まることがなく、墓石や墓地を傷めることがない。
【００７３】
さらに、墓石用上屋の屋根板の端縁部に形成された反曲部、又は、該屋根板に取り付けられた樋によって貯水槽を構成し、自然給水できるようにしたため、節水及び水道代の節約に貢献できる。
【００７４】
加えて、屋根板の反曲部、又は、樋に取水管の流入口を連結すると共に、取水管の流入口を濾過網によって覆うようにしたため、汚物の花立てへの流入をより一層防止できる。
【００７５】
また、給水槽の天板に形成された点検口によって、給水槽の内部の洗浄、又は、取水管の吐出口の洗浄が可能になるため、花立てへの円滑な給水、及び、給水槽の清潔さを確保するのに有効である。
【００７６】
さらに、給水槽の底部を貫通して連結された上下方向の給水槽用連結管によって、給水槽の汚物を流下しやすいようにし、給水槽用連結管と花立て用連結管とを連結する大径の水平方向の通水用連結管によって、給水槽用連結管から流下した汚物を自重によって通水用連結管の内部に沈下させ、花立ての底部に連結された上下方向の花立て用連結管によって、落差をつけることで、汚物をより一層沈下しやすくすることで、花立てへの流入を阻止するのに有効である。
【００７７】
また、通水用連結管の両端開口部を閉塞したキャップを取り外し、通水用連結管の内部の洗浄を可能にしたため、良質の水が常に花立てに給水するのに有効であり、花立ての水を清潔にすると共に、花の寿命を長期間保持できる効果がある。
【００７８】
加えて、通水用連結管、給水槽用連結管、花立て用連結管のうち少なくとも何れか一つの内周面に銅又は錫の薄膜を蒸着し、銅又は錫の薄膜によって流通する水を洗浄するようにしたため、花立てからの異臭を防止でき、快適に墓参できるようになる。
【００７９】
また、花立て又は排水槽の少なくとも何れか一方を着脱可能に構成し、花立て又は排水槽の少なくとも何れか一方を洗浄できるようにしたため、墓石の周囲の環境改善に寄与できる効果がある。
【００８０】
さらに、ポンプの作動によって、連結管の水を花立てに給水して花立ての水を排水槽に流出させ、排水管の排水用開閉弁を閉じて排水槽から外部への排水を中止させると共に、循環用配水管の循環用開閉弁を開いて花立てから流出した排水槽の水を連結管に循環させるようにしたので、花立てにきれいな水を供給でき、花の長寿命化がより一層向上される。
【００８１】
加えて、花立てから流出した排水槽の水を浄化するためのフィルターを循環用配水管に着脱可能に接続し、花立てから排水層に流出した汚水をフィルターによって浄化できるようにしたため、墓石の水廻りの環境保全に有効である。
【図面の簡単な説明】
【図１】本発明の実施例１の墓石の花立て給水装置を示した正面図である。
【図２】図１の花立ての部位の縦断面図である。
【図３】墓石用上屋を利用した実施例２の墓石の花立ての給水装置を示した正面図である。
【図４】循環装置を付加した実施例３の墓石の花立て給水装置の要部断面図である。
【符号の説明】
１　墓地
２　樋
３　ストレーナ（濾過網）
４　通水穴
５　ストレーナ本体
６　雌ねじ
７　墓石台
１０　給水槽
１１　天板
１２　点検口
１３　蓋板
１５　取水管
１５ａ、２６ａ、２７ａ、４０ａ　流入口
１５ｂ、２６ｂ、２７ｂ、４０ｂ　吐出口
１６　雄ねじ
２０　花立て
２１　貫通穴
２２　パッキン
２５　連結管
２６　給水槽用連結管
２７　花立て用連結管
２８　通水用連結管
２９　開口部
３０　キャップ
３１　ゴム継ぎ手
３５　排水槽
３６　挿通穴
３７　凹部
３８　貫通穴
３８ａ　環状溝
３９　Ｏリング
４０　排水管
４１　垂直部
４２　折曲部
４５　墓石用上屋
４６　屋根板
４７　反曲部（貯水槽）
４８　支柱
５０　ポンプ
５１　Ｔ字継ぎ手
５１ａ　循環流入ポート
５１ｂ　循環流出ポート
５１ｃ　排水ポート
５２　排水用開閉弁
５３　Ｌ字継ぎ手
５４　循環用開閉弁
５５　循環用配水管
５６　アクリルパイプ
５７　カートリッジフィルター
Ａ　上限水位
Ｂ　基準水位
【図１】
2004060315.tif 000003
【図２】
2004060315.tif 000004
【図３】
2004060315.tif 000005
【図４】
2004060315.tif 000006